【手続補正書】
【提出日】平成24年1月10日(2012.1.10)
【手続補正１】
【補正対象書類名】特許請求の範囲
【補正対象項目名】全文
【補正方法】変更
【補正の内容】
【特許請求の範囲】
【請求項１】
中空の固定形状カニューレであって、
（ａ）眼球の一部の周りに配置するための遠位部分であって、約９〜１５ｍｍの曲率半径と約２５〜３５ｍｍの弧の長さを有する、遠位部分と、
（ｂ）前記カニューレの内側断面半径に近い値から約１メートルまでの曲率半径を有する、近位部分と、
（ｃ）前記遠位部分と近位部分が相互につながる位置にある変曲点と
を含み、
前記変曲点において眼球に接する線ｌ３と前記近位部分との間の角度θ１は、約０°より大きく、約１８０°までの間にある、中空の固定形状カニューレ。
【請求項２】
請求項１記載のカニューレにおいて、前記遠位部分と近位部分の両方は平面Ｐ１内にあるものである。
【請求項３】
請求項１記載のカニューレにおいて、前記遠位部分は平面Ｐ１内にあり、前記近位部分は平面Ｐ２内にあるものである。
【請求項４】
請求項１記載のカニューレにおいて、前記遠位部分は、約１２ｍｍの曲率半径と約３０ｍｍの弧の長さを有するものである。
【請求項５】
請求項１記載のカニューレにおいて、前記遠位部分の曲率半径は一定である。
【請求項６】
請求項１記載のカニューレにおいて、前記遠位部分の曲率半径は可変である。
【請求項７】
請求項１記載のカニューレにおいて、このカニューレは、全体的に丸い外側断面形状を有するものである。
【請求項８】
請求項１記載のカニューレにおいて、このカニューレは、楕円形、長方形、卵形または台形の外側断面形状を有するものである。
【請求項９】
請求項１記載のカニューレにおいて、このカニューレは、ＲＢＳが滑り抜けできるように構成された内側断面形状を有するものである。
【請求項１０】
請求項１記載のカニューレにおいて、このカニューレは、全体的に丸い内側断面形状を有するものである。
【請求項１１】
請求項１記載のカニューレにおいて、このカニューレは、楕円形、長方形、卵形または台形の内側断面形状を有するものである。
【請求項１２】
請求項１記載のカニューレにおいて、このカニューレは、カニューレの近位部分に接続されたハンドルをさらに含むものである。
【請求項１３】
請求項１２記載のカニューレにおいて、前記ハンドルはＲＢＳを遮蔽するための放射線遮蔽ピッグを含むものである。
【請求項１４】
請求項１記載のカニューレにおいて、ＲＢＳを前進させる手段が前記カニューレ内に配置され、前記カニューレは前記ＲＢＳを眼の後部（ｂａｃｋ）に送達するためのものである。
【請求項１５】
請求項１４記載のカニューレにおいて、ＲＢＳを前記遠位部分の先端部の方向に前進させるための手段は、ガイドワイヤ、ワイヤなしプランジャ、空気圧機構、真空機構、流体を使用する静水圧機構またはこれらの組み合わせから成る群から選択されるものである。
【請求項１６】
請求項１記載のカニューレにおいて、このカニューレは、前記遠位部分の側面に位置する窓を有し、前記側面は強膜に隣接し、前記窓は放射線透過材料を含むものである。
【請求項１７】
請求項１記載のカニューレにおいて、このカニューレは、前記遠位部分上に配置された突出部をさらに含み、前記突出部は眼の縁郭上に置かれるためのものである。
【請求項１８】
固定形状のカニューレであって、
（ａ）眼球の一部の周りに配置するための遠位部分であって、約９〜１５ｍｍの曲率半径と約２５〜３５ｍｍの弧の長さを有する遠位部分と、
（ｂ）カニューレの内側断面半径に近い値から約１メートルの間の曲率半径を有する、近位部分と、
（ｃ）前記遠位部分と近位部分が相互につながる位置にある変曲点と
を含み、
前記遠位部分の遠位端が標的の近傍内に位置決めされると、前記近位部分は視軸から離れるように曲げられ、ユーザが目で直接見ることができる、固定形状のカニューレ。
【請求項１９】
請求項１記載のカニューレにおいて、前記カニューレの前記遠位部分の近位端は、前記近位端の円周が前記遠位部分の遠位端の円周より大きくなるように先細り形状とされているものである。
【請求項２０】
固定形状を有するカニューレであって、
（ａ）眼球の一部の周りに配置するための遠位部分と、
（ｂ）変曲点を介して前記遠位部分につながる近位部分と
を含み、
前記遠位部分は、楕円体上に位置する２つの点の接続から形成される弧の形を有し、前記楕円体は、ｘ軸寸法「ａ」、ｙ軸寸法「ｂ」、およびｚ軸寸法「ｃ」を有し、「ａ」は約０〜１メートルであり、「ｂ」は約０〜１メートルであり、「ｃ」は約０〜１メートルであり、
前記近位部分は、楕円体上の２つの点の接続から形成される弧の形を有し、前記楕円体は、ｘ軸寸法「ｄ」、ｙ軸寸法「ｅ」、およびｚ軸寸法「ｆ」を有し、「ｄ」は約０〜１メートルであり、「ｅ」は約０〜１メートルであり、「ｆ」は約０〜１メートルであり、
前記変曲点において眼球に接する線ｌ３と前記近位部分との間の角度θ１は、約０°より大きく、約１８０°までの間にある、
カニューレ。
【請求項２１】
請求項２０記載のカニューレにおいて、「ａ」は約０〜５０ｍｍであり、「ｂ」は約０〜５０ｍｍであり、「ｃ」は約０〜５０ｍｍである。
【請求項２２】
請求項２０記載のカニューレにおいて、「ｄ」は約０〜５０ｍｍであり、「ｅ」は約０〜５０ｍｍであり、「ｆ」は約０〜５０ｍｍである。
【請求項２３】
請求項２０記載のカニューレにおいて、前記変曲点では、前記遠位部分と近位部分の間の緩やかな湾曲が形成されているものである。
【請求項２４】
請求項２０記載のカニューレにおいて、前記遠位部分は約２５〜３５ｍｍの弧の長さを有するものである。
【請求項２５】
請求項２０記載のカニューレにおいて、前記近位部分は約１０〜７５ｍｍの弧の長さを有するものである。
【請求項２６】
患者の眼の標的の放射線治療のために使用される放射性核種小線源照射療法の放射線源（ｒａｄｉｏｎｕｃｌｉｄｅ  ｂｒａｃｈｙｔｈｅｒａｐｙ  ｓｏｕｒｃｅ：ＲＢＳ）であって、
前記ＲＢＳは、前記患者の眼のテノン嚢の下の潜在空隙に挿入されるカニューレと共に使用するように適切に構成されるものであり、
前記カニューレは前記放射性核種小線源照射療法の放射線源（ＲＢＳ）を治療位置に有し、当該治療位置において、前記ＲＢＳが前記標的上に配置され、当該ＲＢＳが前記標的に放射線治療するものである、方法。
【請求項２７】
請求項２６記載のＲＢＳにおいて、前記テノン嚢は前記カニューレの挿入を誘導し、前記カニューレの位置決めを補助するものである。
【請求項２８】
請求項２６記載のＲＢＳにおいて、前記標的は眼の硝子体側上に位置するものである。
【請求項２９】
請求項２６記載のＲＢＳにおいて、前記ＲＢＳは前記カニューレが挿入される前にカニューレ内に装着されるものである。
【請求項３０】
請求項２６記載のＲＢＳにおいて、前記ＲＢＳは前記カニューレが挿入された後にカニューレ内に装着されるものである。
【請求項３１】
請求項２６記載のＲＢＳにおいて、前記カニューレは固定形状のカニューレである。
【請求項３２】
請求項２６記載のＲＢＳにおいて、前記カニューレは、内視鏡を含む可撓性カニューレである。
【請求項３３】
請求項２６記載のＲＢＳにおいて、前記標的は眼の網膜に関連する病変である。
【請求項３４】
請求項３３記載のＲＢＳにおいて、前記病変は血管新生病変である。
【請求項３５】
請求項３３記載のＲＢＳにおいて、前記病変は良性腫瘍または悪性腫瘍である。
【請求項３６】
請求項２６記載のＲＢＳにおいて、
（ａ）前記ＲＢＳは標的に対して約０．１〜１Ｇｙ／分の線量率を提供するものであり、
（ｂ）前記ＲＢＳは標的に対して約１〜１０Ｇｙ／分の線量率を提供するものであり、
（ｃ）前記ＲＢＳは標的に対して約１０〜２０Ｇｙ／分の線量率を提供するものであり、
（ｄ）前記ＲＢＳは標的に対して約２０〜３０Ｇｙ／分の線量率を提供するものであり、
（ｅ）前記ＲＢＳは標的に対して約３０〜４０Ｇｙ／分の線量率を提供するものであり、
（ｆ）前記ＲＢＳは標的に対して約４０〜５０Ｇｙ／分の線量率を提供するものであり、
（ｇ）前記ＲＢＳは標的に対して約５０〜７５Ｇｙ／分の間の線量率を提供するものであり、又は
（ｈ）前記ＲＢＳは標的に対して約７５〜１００Ｇｙ／分の線量率を提供するものである。
【請求項３７】
請求項２６記載のＲＢＳにおいて、前記カニューレは眼の縁郭に挿入されるものである。
【請求項３８】
請求項２６記載のＲＢＳにおいて、前記カニューレは眼の縁郭よりも後方の箇所に挿入されるものである。
【請求項３９】
請求項２６記載のＲＢＳにおいて、前記カニューレは眼の縁郭と円蓋の間の箇所に挿入されるものである。
【手続補正２】
【補正対象書類名】明細書
【補正対象項目名】０００６
【補正方法】変更
【補正の内容】
【０００６】
放射線療法は、脳における、動静脈奇形（ａｒｔｅｒｉｏｖｅｎｏｕｓ  ｍａｌｆｏｒｍａｔｉｏｎｓ：ＡＶＭ）、すなわち病的な血管形成を含む良性症状を治療するために長く使用されてきた。ＡＶＭは、静脈と動脈とのもつれにより特徴付けられる、先天的な血管の病状である。ここに説明する装置による、加齢黄斑変性症における新血管形成（ｎｅｏｖａｓｃｕｌａｒｉｚａｔｉｏｎ  ｉｎ  ａｇｅ−ｒｅｌａｔｅｄ  ｍａｃｕｌａｒ  ｄｅｇｅｎｅｒａｔｉｏｎ：ＷＡＭＤ）の治療に対して適用可能な線量は、動静脈奇形（ａｒｔｅｒｉｏｖｅｎｏｕｓ  ｍａｌｆｏｒｍａｔｉｏｎｓ：ＡＶＭ）の定位放射線治療（ｓｔｅｒｅｏｔａｃｔｉｃ  ｒａｄｉｏｓｕｒｇｅｒｙ：ＳＲＳ）処置に基づいてもよい。ＳＲＳは、ＡＶＭに放射線を送達してＡＶＭを除去するために使用され、放射線はＡＶＭ治療に対して極めて有効である。高確率でＡＶＭを除去するために必要な最小線量は約２０Ｇｙである。しかし、小さなＡＶＭ（<１ｃｍ）は多くの場合、より高線量（例えば、３０Ｇｙ）で治療される。なぜなら、小さいＡＶＭを治療する場合、活発な脳のかなりの量（例えば、典型的には、負傷が障害を引き起こす神経学的欠損を生じさせる脳の領域）が放射線の高線量に露出されないためである。報告されたＳＲＳ線量はＡＶＭの周辺部において受ける線量に相当し、一方、病巣（中心）における線量は、報告されたＳＲＳの線量の最大２．５倍に達することもある。
ＷＡＭＤに含まれる血管領域は最少のＡＶＭよりかなり小さく、したがって、有効な線量は、ＡＶＭに対して使用される最高線量と同等であると予想される。ＷＡＭＤの照射の研究では、２０Ｇｙを超える照射量が要求されることを示しているが、ある研究では１６Ｇｙにおいて多少の反応を示している。本発明をいずれかの理論または機構に限定することなく、ＷＡＭＤに対してここに説明する装置は、新血管形成の領域全体にほぼ均一な線量を送達することにより、または、２０Ｇｙの最少線量および７５Ｇｙの最大線量を用いる領域の境界と比較すると、中心において２．５倍高い線量で変化し得る不均一な線量を送達することにより、有効であると予想される。黄斑変性症に対して放射線外科手法を用いる報告では、わずか１０Ｇｙの線量では有効ではないと述べている（Ｈａａｓその他、Ｊ  Ｎｅｕｒｏｓｕｒｇｅｒｙ  ９３，１７２−７６，２０００）。この研究では、提示された線量は周辺部の線量であり、中心部は約１０％多い線量を有する。さらに、この研究結果は、網膜の複雑性によりかなり悩まされた。
本発明をいずれかの理論または機構に限定することなく、本発明の装置は先行技術に勝る利点があると考えられる。例えば、ＳＲＳは眼の構造体を容易に貫通し、脳全体を通過する外部光子線を使用するので、患者は、光子線が黄斑の方向に向けられるように位置決めされなければならず、数ミリメートルの送達の幾何的な不確実性を生じる。本発明の装置は、これら装置をミリメートル未満の正確性で黄斑に向けて配置でき、β放射性同位体を使用して、主要な制限領域を備える放射線源を構成し得る理由から、幾何学的および線量測定の利点を有する。
【先行技術文献】
【特許文献】
【手続補正３】
【補正対象書類名】明細書
【補正対象項目名】０００７
【補正方法】変更
【補正の内容】
【０００７】
【特許文献１】  米国特許第２３０９３０２号
【特許文献２】  米国特許第２５５９７９３号
【特許文献３】  米国意匠特許第Ｄ１８３８２０号
【特許文献４】  米国特許第３１６９５２７号
【特許文献５】  米国特許第３６６２８８２号
【特許文献６】  米国意匠特許第Ｄ２３５１７１号
【特許文献７】  米国意匠特許第Ｄ２３５１７２号
【特許文献８】  米国意匠特許第Ｄ２３６９２０号
【特許文献９】  米国特許第４２４８３５４号
【特許文献１０】  米国特許第４３００５５７号
【特許文献１１】  米国意匠特許第Ｄ２７２０８９号
【特許文献１２】  米国特許第４９２５４５０号
【特許文献１３】  米国特許第４９７６２６６号
【特許文献１４】  米国特許第５００７６８９号
【特許文献１５】  米国特許第５１０９８４４号
【特許文献１６】  米国特許第５１２７８３１号
【特許文献１７】  米国特許第５１６７６４７号
【特許文献１８】  米国特許第５１９９９３９号
【特許文献１９】  米国意匠特許第Ｄ３４０１１１号
【特許文献２０】  米国意匠特許第Ｄ３４５４１７号
【特許文献２１】  米国意匠特許第Ｄ３４７４７３号
【特許文献２２】  米国特許第５３６４３７４号
【特許文献２３】  米国特許第５３９２９１４号
【特許文献２４】  米国特許第５３９９２９８号
【特許文献２５】  米国特許第５６３７０７３号
【特許文献２６】  米国意匠特許第Ｄ３９０６５６号
【特許文献２７】  米国特許第５８７１４８１号
【特許文献２８】  米国特許第５８９３８７３号
【特許文献２９】  米国特許第５９３５１５５号
【特許文献３０】  米国特許第５９４４７４７号
【特許文献３１】  米国特許第５９４７８９１号
【特許文献３２】  米国特許第５９７０４５７号
【特許文献３３】  米国特許第６０５３９００号
【特許文献３４】  米国意匠特許第Ｄ４２８１４０号
【特許文献３５】  米国特許第６１３５９８４号
【特許文献３６】  米国特許第６１４９６４３号
【特許文献３７】  米国特許第６１５９２０５号
【特許文献３８】  米国特許第６１８３４１０号
【特許文献３９】  米国特許第６１８３４３５号
【特許文献４０】  米国特許第６２７８９７５号
【特許文献４１】  米国特許第６４０２７３４号
【特許文献４２】  米国特許第６４１３２４５号
【特許文献４３】  米国特許第６４４３８８１号
【特許文献４４】  米国特許第６４５０９３８号
【特許文献４５】  米国特許第６５２７６９２号
【特許文献４６】  米国特許第６５７５８８７号
【特許文献４７】  米国特許第６６１３０２６号
【特許文献４８】  米国特許第６６４１５１８号
【特許文献４９】  米国特許第６６７６５９０号
【特許文献５０】  米国特許第６７１９７５０号
【特許文献５１】  米国特許第６７４９５５３号
【特許文献５２】  米国特許第６７５５３３８号
【特許文献５３】  米国意匠特許第Ｄ４９２７７８号
【特許文献５４】  米国特許第６８０００７６号
【特許文献５５】  米国特許第６８２４５３２号
【特許文献５６】  米国特許第６８３０１７４号
【特許文献５７】  米国特許第６８７５１６５号
【特許文献５８】  米国特許第６９１８８９４号
【特許文献５９】  米国特許第６９５８０５５号
【特許文献６０】  米国特許第６９６４６５３号
【特許文献６１】  米国特許第６９７７２６４号
【特許文献６２】  米国特許第７０７０５５６号
【特許文献６３】  米国特許第７１０３４１６号
【特許文献６４】  米国特許第７１１５６０７号
【特許文献６５】  米国特許第７１５３３１６号
【特許文献６６】  米国意匠特許第Ｄ５３４６５０号
【特許文献６７】  米国特許第７２１７２６３号
【特許文献６８】  米国特許第７２２０２２５号
【特許文献６９】  米国意匠特許第Ｄ５４３６２６号
【特許文献７０】  米国特許第７２２３２２５号
【特許文献７１】  米国特許第７２２８１８１号
【特許文献７２】  米国特許第７２５２００６号
【特許文献７３】  米国特許第７２７３４４５号
【特許文献７４】  米国特許第７２７６０１９号
【特許文献７５】  米国意匠特許第Ｄ５５３７３８号
【特許文献７６】  米国特許第７３０８４８７号
【特許文献７７】  米国特許第７３２１７９６号
【特許文献７８】  米国特許第７３５１１９３号
【特許文献７９】  米国特許第７３５７７７０号
【特許文献８０】  米国特許第７４０２１５５号
【特許文献８１】  米国意匠特許第Ｄ５７５３９６号
【特許文献８２】  米国特許第７４８５１１３号
【特許文献８３】  米国特許第７５０３４７４号
【特許文献８４】  米国特許第７５３７５９３号
【特許文献８５】  米国特許第７５４７３２３号
【特許文献８６】  米国特許第７５６０４６０号
【特許文献８７】  米国特許第７５６３２２２号
【特許文献８８】  米国特許第７５７１００４号
【特許文献８９】  米国特許第７５７９３４７号
【特許文献９０】  米国特許第７６００５３３号
【特許文献９１】  米国特許第７６５４７１６号
【特許文献９２】  米国特許第７６６１６７６号
【特許文献９３】  米国特許第７６８４８６８号
【特許文献９４】  米国意匠特許第Ｄ６１５６４５号
【特許文献９５】  米国意匠特許第Ｄ６１６０８７号
【特許文献９６】  米国意匠特許第Ｄ６１６０８８号
【特許文献９７】  米国意匠特許第Ｄ６１６５４０号
【特許文献９８】  米国特許第７７２９７３９号
【特許文献９９】  米国特許第７７４４５２０号
【特許文献１００】  米国意匠特許第Ｄ６４２２６６号
【特許文献１０１】  米国特許第７７７４９３１号
【特許文献１０２】  米国特許第７７９４４３７号
【特許文献１０３】  米国特許第７８０３１０２号
【特許文献１０４】  米国特許第７８０３１０３号
【特許文献１０５】  米国特許第７８１０２３３号
【特許文献１０６】  米国特許第７８２７０３８号
【特許文献１０７】  米国特許第７８３１３０９号
【特許文献１０８】  米国特許第７８４２６８６号
【特許文献１０９】  米国特許第７８４６９５４号
【特許文献１１０】  米国特許第７８７９５６４号
【特許文献１１１】  米国特許第７８８３７１７号
【特許文献１１２】  米国特許第７８８７５０８号
【特許文献１１３】  米国特許出願公開第２００１／０００８９５０号
【特許文献１１４】  米国特許出願公開第２００１／００４９４６４号
【特許文献１１５】  米国特許出願公開第２００２／０００２３６２号
【特許文献１１６】  米国特許出願公開第２００２／００２６１７４号
【特許文献１１７】  米国特許出願公開第２００２／００６２１３６号
【特許文献１１８】  米国特許出願公開第２００２／００６５４４８号
【特許文献１１９】  米国特許出願公開第２００２／００７７６８７号
【特許文献１２０】  米国特許出願公開第２００２／００９９３６３号
【特許文献１２１】  米国特許出願公開第２００２／０１１５９０２号
【特許文献１２２】  米国特許出願公開第２００２／０１６４０６１号
【特許文献１２３】  米国特許出願公開第２００２／０１９８５１１号
【特許文献１２４】  米国特許出願公開第２００３／００１４３０６号
【特許文献１２５】  米国特許出願公開第２００３／００４５９００号
【特許文献１２６】  米国特許出願公開第２００３／０１０３９４５号
【特許文献１２７】  米国特許出願公開第２００３／０１５３８０４号
【特許文献１２８】  米国特許出願公開第２００３／０１７１７２２号
【特許文献１２９】  米国特許出願公開第２００３／０１８４８５９号
【特許文献１３０】  米国特許出願公開第２００３／０１９５２０１号
【特許文献１３１】  米国特許出願公開第２００３／０２２０３２４号
【特許文献１３２】  米国特許出願公開第２００４／０００６０６７号
【特許文献１３３】  米国特許出願公開第２００４／００３９３１２号
【特許文献１３４】  米国特許出願公開第２００４／００５３３０９号
【特許文献１３５】  米国特許出願公開第２００４／０１３３１５５号
【特許文献１３６】  米国特許出願公開第２００４／０１３８５１５号
【特許文献１３７】  米国特許出願公開第２００４／０２２４７７７号
【特許文献１３８】  米国特許出願公開第２００４／０２４３１７６号
【特許文献１３９】  米国特許出願公開第２００５／００５９９５６号
【特許文献１４０】  米国特許出願公開第２００５／０１０１８２４号
【特許文献１４１】  米国特許出願公開第２００５／０１０７８２４号
【特許文献１４２】  米国特許出願公開第２００５／０１４８９４８号
【特許文献１４３】  米国特許出願公開第２００５／０１４９２８６号
【特許文献１４４】  米国特許出願公開第２００５／０１７７０１９号
【特許文献１４５】  米国特許出願公開第２００５／０２０３３３１号
【特許文献１４６】  米国特許出願公開第２００５／０２２７９８６号
【特許文献１４７】  米国特許出願公開第２００５／０２７２９３１号
【特許文献１４８】  米国特許出願公開第２００５／０２７７８０２号
【特許文献１４９】  米国特許出願公開第２００６／０００９４９３号
【特許文献１５０】  米国特許出願公開第２００６／００３０６１８号
【特許文献１５１】  米国特許出願公開第２００６／００５２７９６号
【特許文献１５２】  米国特許出願公開第２００６／０１１０４２８号
【特許文献１５３】  米国特許出願公開第２００６／０１１１６０５号
【特許文献１５４】  米国特許出願公開第２００６／０１４２６２９号
【特許文献１５５】  米国特許出願公開第２００６／０１８９８３８号
【特許文献１５６】  米国特許出願公開第２００６／０２２３０２６号
【特許文献１５７】  米国特許出願公開第２００６／０２３５８７７号
【特許文献１５８】  米国特許出願公開第２００６／０２５７４５１号
【特許文献１５９】  米国特許出願公開第２００６／０２８７６６２号
【特許文献１６０】  米国特許出願公開第２００７／００１９７９０号
【特許文献１６１】  米国特許出願公開第２００７／００５５０８９号
【特許文献１６２】  米国特許出願公開第２００７／０１１８０１０号
【特許文献１６３】  米国特許出願公開第２００７／０１７９４７１号
【特許文献１６４】  米国特許出願公開第２００７／０２１９５４６号
【特許文献１６５】  米国特許出願公開第２００７／０２３３０３７号
【特許文献１６６】  米国特許出願公開第２００７／０２４８５４５号
【特許文献１６７】  米国特許出願公開第２００７／０２６５２４８号
【特許文献１６８】  米国特許出願公開第２００７／０２６５４８５号
【特許文献１６９】  米国特許出願公開第２００８／００２７２６６号
【特許文献１７０】  米国特許出願公開第２００８／０１０８９３３号
【特許文献１７１】  米国特許出願公開第２００８／０１５４２０４号
【特許文献１７２】  米国特許出願公開第２００８／０１６１７６２号
【特許文献１７３】  米国特許出願公開第２００８／０１７２０８６号
【特許文献１７４】  米国特許出願公開第２００８／０２００７４７号
【特許文献１７５】  米国特許出願公開第２００８／０２１４８８７号
【特許文献１７６】  米国特許出願公開第２００８／０２２１６５３号
【特許文献１７７】  米国特許出願公開第２００８／０２４９４１２号
【特許文献１７８】  米国特許出願公開第２００８／０２６２５１２号
【特許文献１７９】  米国特許出願公開第２００８／０２６２５６９号
【特許文献１８０】  米国特許出願公開第２００８／０２６２５７０号
【特許文献１８１】  米国特許出願公開第２００８／０２６２５７１号
【特許文献１８２】  米国特許出願公開第２００８／０２７２０２３号
【特許文献１８３】  米国特許出願公開第２００８／０２８１１４２号
【特許文献１８４】  米国特許出願公開第２００８／０２８１２５４号
【特許文献１８５】  米国特許出願公開第２００８／０２８８０３６号
【特許文献１８６】  米国特許出願公開第２００８／０２９４２２３号
【特許文献１８７】  米国特許出願公開第２００８／０３０５３２０号
【特許文献１８８】  米国特許出願公開第２００８／０３０６６１１号
【特許文献１８９】  米国特許出願公開第２００８／０３１９３１９号
【特許文献１９０】  米国特許出願公開第２００９／００１６０７５号
【特許文献１９１】  米国特許出願公開第２００９／００３０３２３号
【特許文献１９２】  米国特許出願公開第２００９／００３６８２７号
【特許文献１９３】  米国特許出願公開第２００９／００６９３４０号
【特許文献１９４】  米国特許出願公開第２００９／００８８７８４号
【特許文献１９５】  米国特許出願公開第２００９／００８８８４３号
【特許文献１９６】  米国特許出願公開第２００９／０１０１８４１号
【特許文献１９７】  米国特許出願公開第２００９／０１０４９６０号
【特許文献１９８】  米国特許出願公開第２００９／０１０４９８７号
【特許文献１９９】  米国特許出願公開第２００９／０１１２２８７号
【特許文献２００】  米国特許出願公開第２００９／０１３１１７５号
【特許文献２０１】  米国特許出願公開第２００９／０１４３１２４号
【特許文献２０２】  米国特許出願公開第２００９／０１４３６３３号
【特許文献２０３】  米国特許出願公開第２００９／０１４３７３４号
【特許文献２０４】  米国特許出願公開第２００９／０１４６５８３号
【特許文献２０５】  米国特許出願公開第２００９／０１４９９１５号
【特許文献２０６】  米国特許出願公開第２００９／０１７７２４５号
【特許文献２０７】  米国特許出願公開第２００９／０１９２４９３号
【特許文献２０８】  米国特許出願公開第２００９／０２２７８５６号
【特許文献２０９】  米国特許出願公開第２００９／０２２８０８６号
【特許文献２１０】  米国特許出願公開第２００９／０２４０２１５号
【特許文献２１１】  米国特許出願公開第２００９／０２６４４２４号
【特許文献２１２】  米国特許出願公開第２００９／０２８７２７６号
【特許文献２１３】  米国特許出願公開第２００９／０３０６５８５号
【特許文献２１４】  米国特許出願公開第２００９／０３０６５９４号
【特許文献２１５】  米国特許出願公開第２００９／０３０６５９５号
【特許文献２１６】  米国特許出願公開第２００９／０３１１１３３号
【特許文献２１７】  米国特許出願公開第２００９／０３１２７４２号
【特許文献２１８】  米国特許出願公開第２０１０／０００４４９９号
【特許文献２１９】  米国特許出願公開第２０１０／０００４５８１号
【特許文献２２０】  米国特許出願公開第２０１０／０００４６３９号
【特許文献２２１】  米国特許出願公開第２０１０／００２５６１３号
【特許文献２２２】  米国特許出願公開第２０１０／００２６９５７号
【特許文献２２３】  米国特許出願公開第２０１０／００３００１０号
【特許文献２２４】  米国特許出願公開第２０１０／００７６２７１号
【特許文献２２５】  米国特許出願公開第２０１０／０１００１０４号
【特許文献２２６】  米国特許出願公開第２０１０／０１０５４５４号
【特許文献２２７】  米国特許出願公開第２０１０／０１１４０３９号
【特許文献２２８】  米国特許出願公開第２０１０／０１１９６９６号
【特許文献２２９】  米国特許出願公開第２０１０／０１２１２４８号
【特許文献２３０】  米国特許出願公開第２０１０／０１２１２４９号
【特許文献２３１】  米国特許出願公開第２０１０／０１３１０７５号
【特許文献２３２】  米国特許出願公開第２０１０／０１５７６２０号
【特許文献２３３】  米国特許出願公開第２０１０／０１６８６４６号
【特許文献２３４】  米国特許出願公開第２０１０／０１７４４１５号
【特許文献２３５】  米国特許出願公開第２０１０／０１９７８２６号
【特許文献２３６】  米国特許出願公開第２０１０／０２２８１１９号
【特許文献２３７】  米国特許出願公開第２０１０／０２２８１２３号
【特許文献２３８】  米国特許出願公開第２０１０／０２２８１２４号
【特許文献２３９】  米国特許出願公開第２０１０／０２２８１３２号
【特許文献２４０】  米国特許出願公開第２０１０／０２２８２３８号
【特許文献２４１】  米国特許出願公開第２０１０／０２２９３８４号
【特許文献２４２】  米国特許出願公開第２０１０／０２３８２８８号
【特許文献２４３】  米国特許出願公開第２０１０／０２６７６４７号
【特許文献２４４】  米国特許出願公開第２０１０／０２６８０１３号
【特許文献２４５】  米国特許出願公開第２０１０／０２９４０４１号
【特許文献２４６】  米国特許出願公開第２０１０／０３０５５５０号
【特許文献２４７】  米国特許出願公開第２０１１／０００４０４５号
【特許文献２４８】  米国特許出願公開第２０１１／００２１９０６号
【特許文献２４９】  国際公開第ＷＯ２００５０１６２５８号
【特許文献２５０】  国際公開第ＷＯ２００７０５９２０８号
【特許文献２５１】  オーストラリア特許第３２３７００号
【特許文献２５２】  オーストラリア特許第３２３７０１号
【特許文献２５３】  オーストラリア特許第３２３７０３号
【特許文献２５４】  オーストラリア特許第３２３７０４号
【非特許文献】
【手続補正４】
【補正対象書類名】明細書
【補正対象項目名】０００８
【補正方法】変更
【補正の内容】
【０００８】
【非特許文献１】  ＲＡＧＨＡＶＡ  ｅｔ  ａｌ．；  Ｐｅｒｉｏｃｕｌａｒ  ｒｏｕｔｅｓ  ｆｏｒ  ｒｅｔｉｎａｌ  ｄｒｕｇ  ｄｅｌｉｖｅｒｙ，  ２００４，  ｐａｇｅｓ  ９９−１１４，  Ａｓｈｌｅｙ  Ｐｕｂｌｉｃａｔｉｏｎｓ
【非特許文献２】  ＶＥＮＫＡＴＥＳＨ  ｅｔ  ａｌ．；  Ｃｏｍｐａｒｉｓｏｎ  ｏｆ  ｔｈｅ  Ｅｆｆｉｃａｃｙ  ａｎｄ  Ｓａｆｅｔｙ  ｏｆ  Ｄｉｆｆｅｒｅｎｔ  Ｍｅｔｈｏｄｓ  ｏｆ  Ｐｏｓｔｅｒｉｏｒ  Ｓｕｂｔｅｎｏｎ  Ｉｎｊｅｃｔｉｏｎ；  Ｏｃｕｌａｒ  Ｉｍｍｕｎｏｌｏｇｙ  ａｎｄ  Ｉｎｆｌａｍｍａｔｉｏｎ；  Ｏｃｔｏｂｅｒ  １，  ２００７；  ｐａｇｅｓ  ２１７−２２３；  Ｉｎｆｏｍａ  Ｈｅａｌｔｈｃａｒｅ  ＵＳＡ，  Ｉｎｃ．
【非特許文献３】  Ｔｅｎｏｎ’ｓ  Ｃａｐｓｕｌｅ；  Ｆｕｎｄａｍｅｎｔａｌｓ  ａｎｄ  Ｐｒｉｎｃｉｐｌｅｓ；  ｐａｇｅ  ３９
【非特許文献４】  ＣＡＮＡＶＡＮ  ｅｔ  ａｌ．；  Ｓｕｂ−Ｔｅｎｏｎ’ｓ  ａｄｍｉｎｉｓｔｒａｔｉｏｎ  ｏｆ  ｌｏｃａｌ  ａｎａｅｓｔｈｅｔｉｃ：  ａ  ｒｅｖｉｅｗ  ｏｆ  ｔｈｅ  ｔｅｃｈｎｉｑｕｅ；  ２００３；  ｐａｇｅｓ  ７８７−７９３；  Ｂｒｉｔｉｓｈ  Ｊｏｕｒｎａｌ  ｏｆ  Ａｎａｅｓｔｈｅｓｉａ
【非特許文献５】  ＤＡＦＦＬＯＮ  ｅｔ  ａｌ．；  Ｐｏｓｔｅｒｉｏｒ  ｓｕｂ−Ｔｅｎｏｎ’ｓ  ｓｔｅｒｉｏｄ  ｉｎｊｅｃｔｉｏｎｓ  ｆｏｒ  ｔｈｅ  ｔｒｅａｔｍｅｎｔ  ｏｆ  ｐｏｓｔｅｒｉｏｒ  ｏｃｕｌａｒ  ｉｎｆｌａｍｍａｔｉｏｎ：  ｉｎｄｉｃａｔｉｏｎｓ，  ｅｆｆｉｃａｃｙ  ａｎｄ  ｓｉｄｅ  ｅｆｆｅｃｔｓ，  Ｇｒａｅｆｅ’ｓ  Ａｒｃｈ  Ｃｌｉｎ  Ｅｘｐ  Ｏｐｈｔｈａｌｍｏｓ，  １９９９，  ｐａｇｅｓ  ２８９−２９５；  Ｓｐｒｉｎｇｅｒ−Ｖｅｒｌａｇ  １９９９
【非特許文献６】  ＴＡＮＮＥＲ  ｅｔ  ａｌ．；  Ｐｏｓｔｅｒｉｏｒ  ｓｕｂ−Ｔｅｎｏｎ’ｓ  ｔｒｉａｍｃｉｎｏｌｏｎｅ  ｉｎｊｅｃｔｉｏｎｓ  ｉｎ  ｔｈｅ  ｔｒｅａｔｍｅｎｔ  ｏｆ  ｕｖｅｉｔｉｓ；  Ｒｏｙａｌ  Ｃｏｌｌｅｇｅ  ｏｆ  Ｏｐｈｔｈａｌｍｏｌｏｇｉｓｔｓ；  １９９８；  ｐａｇｅｓ  ６７９−６８５
【非特許文献７】  ＴＨＡＣＨ，  ＭＤ  ｅｔ  ａｌ．；  Ａ  Ｃｏｍｐａｒｉｓｏｎ  ｏｆ  Ｒｅｔｒｏｂｕｌｂａｒ  ｖｅｒｓｕｓ  Ｓｕｂ−Ｔｅｎｏｎ’ｓ  Ｃｏｒｔｉｃｏｓｔｅｒｏｉｄ  Ｔｈｅｒａｐｙ  ｆｏｒ  Ｃｙｓｔｏｉｄ  Ｍａｃｕｌａｒ  Ｅｄｅｍａ  Ｒｅｆｒａｃｔｏｒｙ  ｔｏ  Ｔｏｐｉｃａｌ  Ｍｅｄｉｃａｔｉｏｎｓ；  ｐａｇｅｓ  ２００３−２００８；  Ｏｐｈｔｈａｌｍｏｌｏｇｙ  Ｖｏｌｕｅ  １０４，  Ｎｕｍｂｅｒ  １２，  Ｄｅｃｅｍｂｅｒ  １９９７
【非特許文献８】  ＨＵＢＢＡＲＤ  ｅｔ  ａｌ．；  Ａ  Ｎｅｗ  Ｏｃｕｌａｒ  Ｂｒａｃｈｙｔｈｅｒａｐｙ  Ｓｙｓｔｅｍ  ｆｏｒ  ｔｈｅ  Ｔｒｅａｔｍｅｎｔ  ｏｆ  Ｅｘｕｄａｔｉｖｅ  ＡＭＤ；  ２００５；  Ｉｎｖｅｓｔ  Ｏｐｈｔｈａｌｍｏ  Ｖｉｓ  Ｓｃｉ  ２００５；  ４６；  Ｅ−Ａｂｓｔｒａｃｔ  ２４２５
【非特許文献９】  ＨＵＢＢＡＲＤ，  ＩＩＩ  ｅｔ  ａｌ．；  Ａ  Ｐｒｏｇｒｅｓｓ  Ｒｅｐｏｒｔ  ｏｎ  ｔｈｅ  ＴｈｅｒａＳｉｇｈｔ  Ｏｃｕｌａｒ  Ｂｒａｃｈｙｔｈｅｒａｐｙ  Ｓａｆｅｔｙ  ａｎｄ  Ｆｅａｓｉｂｉｌｉｔｙ  Ｓｔｕｄｙ；  ２００６；  Ｉｎｖｅｓｔ  Ｏｐｈｔｈａｌｍｏｌ  Ｖｉｓ  Ｓｃｉ  ２００６；  ４７：  Ｅ−Ａｂｓｔｒａｃｔ  ２１０１
【非特許文献１０】  ＴＨＥ  ＣＯＬＬＡＢＯＲＡＴＩＶＥ  ＯＣＵＬＡＲ  ＭＥＬＡＮＯＭＡ  ＳＴＵＤＹ  ＧＲＯＵＰ；  Ｄｅｓｉｇｎ  ａｎｄ  Ｍｅｔｈｏｄｓ  ｏｆ  ａ  Ｃｌｉｎｉｃａｌ  Ｔｒｉａｌ  ｆｏｒ  ａ  Ｒａｒｅ  Ｃｏｎｄｉｔｉｏｎ：    Ｔｈｅ  Ｃｏｌｌａｂｏｒａｔｉｖｅ  Ｏｃｕｌａｒ  Ｍｅｌａｎｏｍａ  Ｓｔｕｄｙ；  ＣＯＭＳ  Ｒｅｐｏｒｔ  Ｎｏ．  ３；  １９９３；  Ｃｏｎｔｒｏｌｌｅｄ  Ｃｌｉｎｉｃａｌ  Ｔｒｉａｌｓ  １４：  ３６２−３９１；  Ｅｌｓｅｖｉｅｒ  Ｓｃｉｅｎｃｅ  Ｐｕｂｌｉｓｈｉｎｇ  Ｃｏ．，  Ｉｎｃ．
【非特許文献１１】  ＣＯＭＳ  ＣＯＯＲＤＩＮＡＴＩＮＧ  ＣＥＮＴＥＲ；  Ｃｏｌｌａｂｏｒａｔｉｖｅ  Ｏｃｕｌａｒ  Ｍｅｌａｎｏｍａ  Ｓｔｕｄｙ；  Ｍａｎｕａｌ  ｏｆ  Ｐｒｏｃｅｄｕｒｅｓ；  Ｊａｎｕａｒｙ  １９９５；  ｐａｇｅｓ  １−３３０；  Ｔｈｅ  Ｗｉｌｍｅｒ  Ｏｐｈｔｈａｌｍｏｌｏｇｉｃａｌ  Ｉｎｓｔｉｔｕｔｅ；  Ｔｈｅ  Ｊｏｈｎｓ  Ｈｏｐｋｉｎｓ  Ｓｃｈｏｏｌ  ｏｆ  Ｍｅｄｉｃｉｎｅ  （＊ｒｅｄｕｃｅｄ  ｔｏ  ｃｏｖｅｒ  ａｎｄ  Ｔａｂｌｅ  ｏｆ  Ｃｏｎｔｅｎｔｓ  ｄｕｅ  ｔｏ  ｅｘｃｅｓｓｉｖｅ  ｄａｔａ  ［３３０  ｐａｇｅｓ］）
【非特許文献１２】  ＨＵＢＢＡＲＤ  ｅｔ  ａｌ．；  Ｃａｄａｖｅｒ  Ｅｖａｌｕａｔｉｏｎ  ｏｆ  ａ  Ｎｅｗ  Ｏｃｕｌａｒ  Ｂｒａｃｈｙｔｈｅｒａｐｙ  Ｓｙｓｔｅｍ；  Ｉｎｖｅｓｔ  Ｏｐｈｔｈａｌｍｏｌ  Ｖｉｓ  Ｓｃｉ  ２００４；  ４５：  Ｅ−Ａｂｓｔｒａｃｔ  ５１３９
【非特許文献１３】  ＧＯＬＤＥＮ；  ＳｕｂＴｅｎｏｎ  Ｉｎｊｅｃｔｉｏｎ  ｏｆ  Ｇｅｎｔａｍｉｃｉｎ  ｆｏｒ  Ｂａｃｔｅｒｉａｌ  Ｉｎｆｅｃｔｉｏｎｓ  ｏｆ  ｔｈｅ  Ｅｙｅ；  ｐａｇｅｓ  Ｓ２７１−Ｓ２７７；  Ｔｈｅ  Ｊｏｕｒｎａｌ  ｏｆ  Ｉｎｆｅｃｔｉｏｕｓ  Ｄｉｓｅａｓｅｓ；  Ｖｏｌｕｍｅ  １２４，  Ｓｕｐｐｌｅｍｅｎｔ；  Ｄｅｃｅｍｂｅｒ  １９７１；  Ｕｎｉｖｅｒｓｉｔｙ  ｏｆ  Ｃｈｉｃａｇｏ
【非特許文献１４】  ＳＮＹＤＥＲ，  ＭＤ，  ＰｈＤ  ｅｔ  ａｌ．；  Ａｎｔｉｂｉｏｔｉｃ  Ｔｈｅｒａｐｙ  ｆｏｒ  Ｏｃｕｌａｒ  Ｉｎｆｅｃｔｉｏｎ；  Ｃｏｎｆｅｒｅｎｃｅｓ  ａｎｄ  Ｒｅｖｉｅｗｓ；  ｐａｇｅｓ  ５７９−５８４；  ＷＪＭ，  Ｄｅｃｅｍｂｅｒ  １９９４；  Ｖｏｌ  １６１，  Ｎｏ．  ６；  Ｔｈｅｒａｐｙ  ｆｏｒ  Ｏｃｕｌａｒ  Ｉｎｆｅｃｔｉｏｎ−−Ｓｎｙｄｅｒ  ａｎｄ  Ｇｌａｓｓｅｒ
【非特許文献１５】  ＢＡＵＭ，  Ｍ．Ｄ．  ｅｔ  ａｌ．；  Ｔｈｅ  Ｅｖｏｌｕｔｉｏｎ  ｏｆ  Ａｎｔｉｂｉｏｔｉｃ  Ｔｈｅｒａｐｙ  ｆｏｒ  Ｆａｃｔｅｒｉａｌ  Ｃｏｎｊｕｎｃｔｉｖｉｔｉｓ  ａｎｄ  Ｋｅｒａｔｉｔｉｓ：  １９７０−２０００；  ｐａｇｅｓ  ６５９−６７２；  Ｃｏｒｎｅａ，  Ｖｏｌ．  １９，  Ｎｏ．  ５，  ２０００；  Ｌｉｐｐｉｎｃｏｔｔ  Ｗｉｌｌｉａｍｓ  ＆  Ｗｉｌｋｉｎｓ，  Ｉｎｃ．，  Ｐｈｉｌａｄｅｌｐｈｉａ
【非特許文献１６】  ＳＣＯＰＥＲ；  Ｒｅｖｉｅｗ  ｏｆ  Ｔｈｉｒｄ−  ａｎｄ  Ｆｏｕｒｔｈ−Ｇｅｎｅｒａｔｉｏｎ  Ｆｌｕｏｒｏｑｕｉｎｏｌｏｎｅｓ  ｉｎ  Ｏｐｈｔｈａｌｍｏｌｏｇｙ：  Ｉｎ−Ｖｉｔｒｏ  ａｎｄ  Ｉｎ−Ｖｉｖｏ  Ｅｆｆｉｃａｃｙ；  Ａｄｖ  Ｔｈｅｒ．  ２００８；  ２５（１０）：  ９７９−９９４；  Ｓｐｒｉｎｇｅｒ  Ｈｅａｌｔｈｃａｒｅ  Ｃｏｍｍｕｎｉｃａｔｉｏｎｓ
【非特許文献１７】  ＹＩＬＭＡＺ，  ＭＤ  ｅｔ  ａｌ．；  Ｓｅｖｅｒｅ  Ｆｕｎｇａｌ  Ｋｅｒａｔｉｔｉｓ  Ｔｒｅａｔｅｄ  Ｗｉｔｈ  Ｓｕｂｃｏｎｊｕｎｃｔｉｖａｌ  Ｆｌｕｃｏｎａｚｏｌｅ；  ２００３；  ｐａｇｅｓ  ４５４．ｅ１−４５４．ｅ７；  Ｖｏｌ．  １４０，  Ｎｏ．  ３；  Ｅｌｓｅｖｉｅｒ  Ｉｎｃ．
【非特許文献１８】  ＹＩＬＭＡＺ，  ＭＤ  ｅｔ  ａｌ．；  Ｓｅｖｅｒｅ  Ｆｕｎｇａｌ  Ｋｅｒａｔｉｔｉｓ  Ｔｒｅａｔｅｄ  Ｗｉｔｈ  Ｓｕｂｃｏｎｊｕｎｃｔｉｖａｌ  Ｆｌｕｃｏｎａｚｏｌｅ；  Ａｐｒｉｌ  ２００６；  ｐａｇｅｓ  ７８３−７８４；  Ｖｏｌ．  １４１，  Ｎｏ．  ４，  Ｃｏｒｒｅｓｐｏｎｄｅｎｃｅ；  Ａｍｅｒｉｃａｎ  Ｊｏｕｒｎａｌ  ｏｆ  Ｏｐｈｔｈａｌｍｏｌｏｇｙ
【非特許文献１９】  ＩＫＥＷＡＫＩ  ｅｔ  ａｌ．；  Ｐｅｒｉｂｕｌｂａｒ  ｆｕｎｇａｌ  ａｂｓｃｅｓｓ  ａｎｄ  ｅｎｄｏｐｈｔｈａｌｍｉｔｉｓ  ｆｏｌｌｏｗｉｎｇ  ｐｏｓｔｅｒｉｏｒ  ｓｕｂｔｅｎｏｎ  ｉｎｊｅｃｔｉｏｎ  ｏｆ  ｔｒｉａｍｃｉｎｏｌｏｎｅ  ａｃｅｔｏｎｉｄｅ；  Ｄｉａｇｎｏｌｉｓ／Ｔｈｅｒａｐｙ  ｉｎ  Ｏｐｈｔｈａｌｍｏｌｏｇｙ；  ２００８；  ｐａｇｅｓ  １０２−１０４；  Ａｃｔａ  Ｏｐｈｔｈａｌｍｏｌｏｇｉｃａ；  Ｔｈｅ  Ａｕｔｈｏｒｓ，  Ｊｏｕｒｎａｌ  ｃｏｍｐｉｌａｔｉｏｎ，  Ａｃｔａ  Ｏｐｈｔｈａｌｍｏｌ
【非特許文献２０】  ＮＡＹＡＫ  ｅｔ  ａｌ．；  Ａｃｕｔｅ  ｏｒｂｉｔａｌ  ａｂｓｃｅｓｓ  ｃｏｍｐｌｉｃａｔｉｎｇ  ｄｅｅｐ  ｐｏｓｔｅｒｉｏｒ  ｓｕｂｔｅｎｏｎ  ｔｒｉａｍｃｉｎｏｌｏｎｅ  ｉｎｊｅｃｔｉｏｎ；  Ｉｎｄｉａｎ  Ｊｏｕｒｎａｌ  ｏｆ  Ｏｐｈｔｈａｌｍｏｌｏｇｙ；  Ｖｏｌ．  ５６，  Ｎｏ．  ３；  Ｍａｙ−Ｊｕｎｅ  ２００８；  ｄｏｗｎｌｏａｄｅｄ  ｆｒｏｍ  ｈｔｔｐ：／／ｗｗｗ．ｉｊｏ．ｉｎ  ｏｎ  Ｍｏｎｄａｙ，  Ｎｏｖｅｍｂｅｒ  ０２，  ２００９
【非特許文献２１】  ＫＵＳＡＫＡ  ｅｔ  ａｌ．；  Ｏｒｂｉｔａｌ  ｉｎｆｅｃｔｉｏｎ  ｆｏｌｌｏｗｉｎｇ  ｐｏｓｔｅｒｉｏｒ  ｓｕｂｔｅｎｏｎ  ｔｒｉａｍｃｉｎｏｌｏｎｅ  ｉｎｊｅｃｔｉｏｎ；  ２２０７；  ｐａｇｅｓ  ６９２−６９３；  Ａｃｔａ  Ｏｐｈｔｈａｌｍｏｌｏｇｉｃａ  Ｓｃａｎｄｉｎａｖｉｃａ
【非特許文献２２】  ＷＡＬＫＥＲ  ｅｔ  ａｌ．；  Ｃｏｎｓｅｒｖａｔｉｖｅ  ｍａｎａｇｅｍｅｎｔ  ｏｆ  ｒｅｆｒａｃｔｏｒｙ  ｓｔｅｒｏｉｄ−ｉｎｄｕｃｅｄ  ｇｌａｕｃｏｍａ  ｆｏｌｌｏｗｉｎｇ  ａｎｔｅｒｉｏｒ  ｓｕｂｔｅｎｏｎ  ｓｔｅｒｏｉｄ  ｉｎｊｅｃｔｉｏｎ；  ２００７；  Ｌｅｔｔｅｒｓ  ｔｏ  ｔｈｅ  Ｅｄｉｔｏｒ；  ｐａｇｅｓ  １９７−１９８；  Ｔｈｅ  Ａｕｔｈｏｒｓ，  Ｊｏｕｒｎａｌ  ｃｏｍｐｉｌａｔｉｏｎ，  Ｒｏｙａｌ  Ａｕｓｔｒａｌｉａｎ  ａｎｄ  Ｎｅｗ  Ｚｅａｌａｎｄ  Ｃｏｌｌｅｇｅ  ｏｆ  Ｏｐｈｔｈａｌｍｏｌｏｇｉｓｔｓ
【非特許文献２３】  ＡＵ  ｅｔ  ａｌ．；  Ｌｏｃａｌｉｓｅｄ  ａｂｓｃｅｓｓ  ｆｏｌｌｏｗｉｎｇ  ａｎ  ｉｎｊｅｃｔｉｏｎ  ｏｆ  ｓｕｂｔｅｎｏｎ  ｔｒｉａｍｃｉｎｏｌｏｎｅ  ａｃｉｔｏｎｉｄｅ；  Ｃｏｒｒｅｓｐｏｎｄｅｎｃｅ；  Ｅｙｅ  （２００７）  ２１，  ６２７−６７４，  ｄｏｉ：１０．１０３８／ｓｊ．ｅｙｅ．６７０２６７１；  ｐｕｂｌｉｓｈｅｄ  ｏｎｌｉｎｅ  １５  Ｄｅｃｅｍｂｅｒ  ２００６
【非特許文献２４】  ＶＥＮＫＡＴＥＳＨ  ＭＤ，  ｅｔ  ａｌ．；  Ｐｏｓｔｅｒｉｏｒ  ｓｕｂｔｅｎｏｎ  ｉｎｊｅｃｔｉｏｎ  ｏｆ  ｃｏｒｔｉｃｏｓｔｅｒｏｉｄｓ  ｕｓｉｎｇ  ｐｏｌｙｔｅｔｒａｆｌｕｏｒｏｅｔｈｙｌｅｎｅ  （ＰＥＦＥ）  ｉｎｔｒａｖｅｎｏｕｓ  ｃａｎｎｕｌａ；  Ｃｌｉｎｉｃａｌ  ａｎｄ  Ｅｘｐｅｒｉｍｅｎｔａｌ  Ｏｐｈｔｈａｌｍｏｌｏｇｙ  （２００２）  ３０，  ５５−５７；  Ａｌｌ  Ｉｎｄｉａ  Ｉｎｓｔｉｔｕｔｅ  ｏｆ  Ｍｅｄｉｃａｌ  Ｓｃｉｅｎｃｅｓ  Ｃａｍｐｕｓ，  Ｉｎｄｉａ
【非特許文献２５】  ＳＯＵ−ＴＵＮＧ  ＣＨＩＵ−ＴＳＡＯ，  ＰＨ．Ｄ．，  Ｅｐｉｓｃｌｅｒａｌ  Ｅｙｅ  Ｐｌａｑｕｅｓ  ｆｏｒ  Ｔｒｅａｔｍｅｎｔ  ｏｆ  Ｉｎｔｒａｏｃｕｌａｒ  Ｍａｌｉｇｎａｎｃｉｅｓ  ａｎｄ  Ｂｅｎｉｇｎ  Ｄｉｓｅａｓｅｓ；  Ｃｈａｐｔｅｒ  ３４；  ｐａｇｅｓ  ６７３−７０５
【非特許文献２６】  ＳＯＵ−ＴＵＮＧ  ＣＨＩＵ−ＴＳＡＯ，  ＰＨ．Ｄ．，  Ｐｔｅｒｙｇｉｕｍ  Ｂｒａｃｈｙｔｈｅｒａｐｙ  Ｐｈｙｓｉｃｓ；  Ｃｈａｐｔｅｒ  ３５；  ｐａｇｅｓ  ７０７−７１７
【非特許文献２７】  ＮＡＴＨ，  Ｒａｖｉｎｄｅｒ，  Ｐｈ．Ｄ．  ｅｔ  ａｌ．；  Ｂｒａｃｈｙｔｈｅｒａｐｙ  Ｐｈｙｓｉｃｓ  Ｓｅｃｏｎｄ  Ｅｄｉｔｉｏｎ；  Ｍｅｄｉｃａｌ  Ｐｈｙｓｉｃｓ  Ｍｏｎｏｇｒａｐｈ  Ｎｏ．  ３１；  １０１３  ｐａｇｅｓ；  Ｍｅｄｉｃａｌ  Ｐｈｙｓｉｃｓ  Ｐｕｂｌｉｓｈｉｎｇ；  Ｍａｄｉｓｏｎ，  Ｗｉｓｃｏｎｓｉｎ，  ＵＳＡ；  ２００５
【非特許文献２８】  ＪＡＡＫＫＯＬＡ，  ＡＩＮＯ；  ＨＥＩＫＫＯＮＥＮ，  ＪＯＲＭＡ；  ＴＡＲＫＫＡＮＥＮ，  ＡＨＴＩ  ａｎｄ  ＩＭＭＯＮＥＮ，  ＩＬＫＫＡ；  Ｖｉｓｕａｌ  ｆｕｎｃｔｉｏｎ  ａｆｔｅｒ  ｓｔｒｏｎｔｉｕｍ−９０  ｐｌａｑｕｅ  ｉｒｒａｄｉａｔｉｏｎ  ｉｎ  ｐａｔｉｅｎｔｓ  ｗｉｔｈ  ａｇｅ−ｒｅｌａｔｅｄ  ｓｕｂｆｏｖｅａｌ  ｃｈｏｒｏｉｄａｌ  ｎｅｏｖａｓｃｕｌａｒｉｚａｔｉｏｎ；  Ａｃｔａ  Ｏｐｔｈａｌｍｏｌｏｇｉｃａ  Ｓｃａｎｄｉｎａｖｉｃａ  １９９９；  ７７；  ｐａｇｅｓ  ５７−６１
【非特許文献２９】  ＨＯＫＫＡＮＥＮ，  Ｊ．；  ＨＥＩＫＫＯＮＥＮ，  Ｊ．；  ＨＯＬＭＢＥＲＧ，  Ｐ．；  Ｔｈｅｏｒｅｔｉｃａｌ  ｃａｌｃｕｌａｔｉｏｎｓ  ｏｆ  ｄｏｓｅ  ｄｉｓｔｒｉｂｕｔｉｏｎｓ  ｆｏｒ  ｂｅｔａ−ｒａｙ  ｅｙｅ  ａｐｐｌｉｃａｔｏｒｓ；  Ｍｅｄ．  Ｐｈｙｓ．  ２４  （２）；  Ｆｅｂｒｕａｒｙ  １９９７ｐａｇｅｓ  ２１１−２１３
【非特許文献３０】  ＪＡＡＫＫＯＬＡ，  ＡＩＮＯ；  ＨＥＩＫＫＯＮＥＮ，  ＪＯＲＭＡ；  ＴＯＭＭＩＬＡ，  ＰＥＴＲＩ；  ＬＡＡＴＩＫＡＩＮＥＮ，  ＬＥＩＬＡ；  ＩＭＭＯＮＥＮ，  ＩＬＫＫＡ；  Ｓｔｒｏｎｔｉｕｍ  ｐｌａｑｕｅ  ｉｒｒａｄｉａｔｉｏｎ  ｏｆ  ｓｕｂｆｏｖｅａｌ  ｎｅｏｖａｓｃｕｌａｒ  ｍｅｍｂｒａｎｅｓ  ｉｎ  ａｇｅ−ｒｅｌａｔｅｄ  ｍａｃｕｌａｒ  ｄｅｇｅｎｅｒａｔｉｏｎ；  Ｇｒａｅｆｅ’ｓ  Ａｒｃｈ  Ｃｌｉｎ  Ｅｘｐ  Ｏｐｈｔｈａｌｍｏｌ  （１９９８）；  ２３６；  ｐａｇｅｓ  ２４−３０
【非特許文献３１】  Ｊ．  Ｍ．  ＣＡＰＰＩＮＧ；  Ｒａｄｉａｔｉｏｎ  ｓｃｌｅｒａｌ  ｎｅｃｒｏｓｉｓ  ｓｉｍｕｌａｔｉｎｇ  ｅａｒｌｙ  ｓｃｌｅｒｏｍａｌａｃｉａ  ｐｅｒｆｏｒａｎｓ；  Ｂｒｉｔ．  Ｊ．  Ｏｐｈｔｈａｌ．；  １９７３；  ５７；  ｐａｇｅｓ  ４２５−４２８
【非特許文献３２】  ＪＣ  ＷＥＮ  ｅｔ  ａｌ；  Ｏｃｕｌａｒ  ｃｏｍｐｌｉｃａｔｉｏｎｓ  ｆｏｌｌｏｗｉｎｇ  Ｉ
【非特許文献３３】  ＭＥＳＳＭＥＲ  Ｅ  ｅｔ  ａｌ．；  Ｈｉｓｔｏｐａｔｈｏｌｏｇｉｃ  ｆｉｎｄｉｎｇｓ  ｉｎ  ｅｙｅｓ  ｔｒｅａｔｅｄ  ｗｉｔｈ  ａ  ｒｕｔｈｅｎｉｕｍ  ｐｌａｑｕｅ  ｆｏｒ  ｕｖｅａｌ  ｍｅｌａｎｏｍａ；  Ｇｒａｅｆｅｓ  Ａｒｃｈ  Ｃｌｉｎ  Ｅｘｐ  Ｏｐｈｔｈａｌｍｏｌ．；  １９９２；  ２３０  （４）：  ３９１−６
【発明の概要】
【課題を解決するための手段】